(57)【要約】【課題】画像表示装置とホスト装置が通信可能に接続された場合であっても、画像表示装置において画像データに対する処理を行い得る環境を提供する。【解決手段】ユーザが、ホスト装置を用いて、画像表示装置に記憶されている画像データを削除するように指示する。ホスト装置は、画像表示装置に、表示している画像の画像ＩＤを要求する。画像表示装置は、表示している画像の画像ＩＤをホスト装置に送信する。ホスト装置は、受信した画像ＩＤが削除対象の画像ＩＤか否かを判断する。両者が一致すると、ホスト装置は、画像表示装置に操作禁止期間の開始を通知し、メニュー画面の表示を指示し、削除対象となる画像ＩＤを通知する。画像表示装置は、キーの操作を禁止し、ホスト装置から通知された画像ＩＤの画像データを不揮発性メモリから削除する。さらに、不揮発性メモリに記憶された画像データのファイル名に基づいて、メニュー画面を表示する。【選択図】図６
2008026490.tif 000002
【特許請求の範囲】
【請求項１】
ホスト装置との間に接続された通信路を介して当該ホスト装置と通信を行う画像表示装置であって、
画像データと、当該画像データに割り当てられた画像識別情報とを対応付けて記憶する記憶手段と、
前記記憶手段に記憶された画像データに基づいて画像を表示する表示手段と、
前記ホスト装置からの前記通信路を介した要求に応じて、前記表示手段によって表示されている画像の画像データに割り当てられた前記画像識別情報を、前記記憶手段から読み出し、前記通信路経由で前記ホスト装置に通知する通知手段と、
画像表示装置に対して処理を指定する操作を受け付ける操作手段と、
前記ホスト装置から通知された操作禁止期間にわたっては、前記操作手段が受け付けた操作によって指定される処理を実行せずに、前記ホスト装置から前記通信路を介して指示される処理を実行し、当該処理を実行し終えると、当該処理の完了を前記通信路経由で前記ホスト装置に通知する処理手段と
を備えることを特徴とする画像表示装置。
【請求項２】
前記所定の画像は、前記表示手段に表示すべき前記画像データを指定するようにユーザに案内するためのメニュー画像であり、
前記処理手段は、前記所定の画像として前記メニュー画像を表示する場合には、前記画像データの削除又は更新が行われた後の状態を反映した前記メニュー画像を表示する
ことを特徴とする請求項１記載の画像表示装置。
【請求項３】
前記通信路は、ＵＳＢ（Universal Serial Bus）規格に従って通信を行うための通信路であることを特徴とする請求項１記載の画像表示装置。
【請求項４】
画像データと当該画像データに割り当てられた画像識別情報とを対応付けて記憶しており当該画像データに基づいて画像を表示する画像表示装置との間に接続された通信路を介して、当該画像表示装置と通信を行うホスト装置であって、
ホスト装置に対して処理を指定する操作を受け付ける操作手段と、
前記画像表示装置に記憶されている画像データのうちいずれかの削除又は更新を指示する操作が前記操作手段によって受け付けられると、前記画像表示装置に表示されている画像の画像データに割り当てられた画像識別情報を要求する要求手段と、
前記要求に応じて前記画像表示装置から通知されてきた画像識別情報が、前記削除又は更新の対象となる画像データの画像識別情報であるか否かを判断する判断手段と、
ユーザの操作によって指定された処理を禁止する操作禁止期間の開始を前記画像表示装置に通知し、前記画像データを削除又は更新することを前記画像表示装置に指示すると共に、前記画像表示装置に表示されている画像が削除又は更新の対象となる画像であると前記判断手段によって判断された場合には、前記画像表示装置に表示されている画像とは異なる所定の画像を表示することを当該画像表示装置に指示する指示手段と、
前記画像表示装置から処理の完了が通知されてくると、前記画像表示装置に対して前記操作禁止期間の終了を通知する通知手段と
を備えることを特徴とするホスト装置。
【請求項５】
前記画像表示装置に記憶されている画像データの一覧を前記画像表示装置から取得する取得手段を備え、
前記要求手段は、前記取得手段によって取得された一覧においていずれかの画像データを指定して当該画像データを削除又は更新する操作が前記操作手段によって受け付けられた場合に、前記画像表示装置に表示されている画像の画像データに割り当てられた画像識別情報を要求する
ことを特徴とする請求項４記載のホスト装置。
【請求項６】
前記通信路は、ＵＳＢ規格に従って通信を行うための通信路であることを特徴とする請求項４記載のホスト装置。
【請求項７】
画像表示装置と、当該画像表示装置との間に接続された通信路を介して通信を行うホスト装置とを備え、
前記画像表示装置は、
画像データと、当該画像データに割り当てられた画像識別情報とを対応付けて記憶する記憶手段と、
前記記憶手段に記憶された画像データに基づいて画像を表示する表示手段と、
前記ホスト装置からの前記通信路を介した要求に応じて、前記表示手段によって表示されている画像の画像データに割り当てられた前記画像識別情報を、前記記憶手段から読み出し、前記通信路経由で前記ホスト装置に通知する通知手段と、
前記画像表示装置に対して処理を指定する操作を受け付ける第１の操作手段と、
前記ホスト装置から通知された操作禁止期間にわたっては、前記第１の操作手段が受け付けた操作によって指定される処理を実行せずに、前記ホスト装置から前記通信路を介して指示される処理を実行し、当該処理を実行し終えると、当該処理の完了を前記通信路経由で前記ホスト装置に通知する処理手段とを備え、
前記ホスト装置は、
前記ホスト装置に対して処理を指定する操作を受け付ける第２の操作手段と、
前記画像表示装置に記憶されている画像データのうちいずれかの削除又は更新を指示する操作が前記第２の操作手段によって受け付けられると、前記画像表示装置に表示されている画像の画像データに割り当てられた画像識別情報を要求する要求手段と、
前記要求に応じて前記画像表示装置から通知されてきた画像識別情報が、前記削除又は更新の対象となる画像データの画像識別情報であるか否かを判断する判断手段と、
前記操作禁止期間の開始を前記画像表示装置に通知し、前記画像データを削除又は更新することを前記画像表示装置に指示すると共に、前記画像表示装置に表示されている画像が削除又は更新の対象となる画像であると前記判断手段によって判断された場合には、前記画像表示装置に表示されている画像とは異なる所定の画像を表示することを当該画像表示装置に指示する指示手段と、
前記画像表示装置から処理の完了が通知されてくると、前記画像表示装置に対して前記操作禁止期間の終了を通知する通知手段とを備える
ことを特徴とする画像表示システム。
【請求項８】
画像データを記憶し、当該画像データが表す画像を表示する画像表示装置と、当該画像表示装置との間に接続された通信路を介して通信を行うホスト装置とを備えた画像表示システムにおける制御方法であって、
前記画像表示装置に記憶されている画像データのうちいずれかを削除又は更新する操作を受け付けるステップと、
前記画像表示装置に表示されている画像を特定し、当該画像が削除又は更新の対象となる画像であるか否かを判断するステップと、
前記ホスト装置から前記画像表示装置に対して、ユーザの操作によって指定される処理を禁止する操作禁止期間の開始を通知し、前記画像データの削除又は更新を行うように前記画像表示装置に指示すると共に、前記画像表示装置に表示されている画像が、削除又は更新の対象となる画像であると判断された場合には、前記画像表示装置に表示されている画像とは異なる所定の画像を表示するよう前記ホスト装置から当該画像表示装置に指示するステップと、
前記画像表示装置において、前記ホスト装置によって指定された操作禁止期間にわたっては、ユーザの操作によって指定される処理を実行せずに、前記画像データを削除又は更新と前記所定の画像の表示という処理を実行し、当該処理を実行し終えると、当該処理の完了を前記ホスト装置に通知するステップと、
前記ホスト装置において、前記画像表示装置から前記処理の完了が通知されてくると、前記画像表示装置に対して前記操作禁止期間の終了を通知するステップと
を備えることを特徴とする制御方法。
【請求項９】
ホスト装置との間に接続された通信路を介して当該ホスト装置と通信を行うコンピュータに、
画像データと、当該画像データに割り当てられた画像識別情報とを対応付けて記憶手段に記憶する記憶機能と、
前記記憶手段に記憶された画像データに基づいて画像を表示手段に表示させる表示機能と、
前記ホスト装置からの前記通信路を介した要求に応じて、前記表示手段に表示されている画像の画像データに割り当てられた前記画像識別情報を、前記記憶手段から読み出し、前記通信路経由で前記ホスト装置に通知する通知機能と、
前記ホスト装置から通知された操作禁止期間にわたっては、操作手段によって受け付けられた操作によって指定される処理を実行せずに、前記ホスト装置から前記通信路を介して指示される処理を実行し、当該処理を実行し終えると、当該処理の完了を前記通信路経由で前記ホスト装置に通知する処理機能と
を実現させるためのプログラム。
【請求項１０】
画像を表す画像データを当該画像データに割り当てられた画像識別情報と対応付けて記憶し、当該画像データが表す画像を表示する画像表示装置との間に接続された通信路を介して、当該画像表示装置と通信を行うコンピュータであって、
前記画像表示装置に記憶されている画像データのうちのいずれかの削除又は更新を指示する操作が操作手段によって受け付けられると、前記画像表示装置に表示されている画像の画像データに割り当てられた画像識別情報を要求する要求機能と、
前記要求に応じて前記画像表示装置から通知されてきた画像識別情報が、前記削除又は更新の対象となる画像データの画像識別情報であるか否かを判断する判断機能と、
ユーザの操作によって指定された処理を禁止する操作禁止期間の開始を前記画像表示装置に通知し、前記画像データを削除又は更新することを前記画像表示装置に指示すると共に、前記画像表示装置に表示されている画像が削除又は更新の対象となる画像であると前記判断機能によって判断された場合には、前記画像表示装置に表示されている画像とは異なる所定の画像を表示することを当該画像表示装置に指示する指示機能と
前記画像表示装置から処理の完了が通知されてくると、前記画像表示装置に対して前記操作禁止期間の終了を通知する通知機能と
を実現させるためのプログラム。
【発明の詳細な説明】
【技術分野】
【０００１】
本発明は、画像を表示する画像表示装置とその装置と通信を行うホスト装置とを含む画像表示システムに関する。
【背景技術】
【０００２】
携帯可能な画像表示装置としては、例えばＰＤＡ（Personal Digital Assistants）のようなタブレット型のコンピュータがよく知られているが、最近では、コレステリック液晶等を利用して画像表示機能に特化した、いわゆる電子ペーパーと呼ばれるものも新たに開発されている（特許文献１参照）。これらの画像表示装置は、パーソナルコンピュータ等のホスト装置と対にして利用されることが多い。例えばこの種の画像表示装置に画像を表示させる場合、ユーザは、まず、ホスト装置と画像表示装置とをＵＳＢ（Universal Serial Bus）ケーブル等の通信線によって接続し、ホスト装置内の画像データをＵＳＢケーブル経由で画像表示装置に転送させる。次に、ユーザは、画像表示装置からＵＳＢケーブルを取り外し、画像表示装置に格納された複数の画像データのいずれかを指定して、その画像データに基づく画像を画像表示装置に表示させる。
【０００３】
一般に、ホスト装置と画像表示装置とをＵＳＢケーブルによって接続すると、画像表示装置の全ての動作はホスト装置によって制御され、画像表示装置における操作が一切禁止されるようになっている。その理由は、ＵＳＢケーブルによって接続された状態でホスト装置と画像表示装置の双方でユーザの自由な操作を許可してしまうと、両装置の間で画像データの内容が不一致となるなどのコンフリクトの問題が生じる可能性が高いからである。従って、前述のとおり、ユーザが所望する画像を表示させたい場合には、いったんＵＳＢケーブルを画像表示装置から外すことでホスト装置と画像表示装置との接続を解除し、それから画像表示装置を操作するという手順を踏まなければならない。このように操作が煩雑であるという問題は、例えばデジタルカメラとプリンタとをＵＳＢケーブルによって接続した場合にも発生することが知られている。そこで、特許文献２では、画像データがデジタルカメラからプリンタに転送されたことが確認されたことを確認してから、デジタルカメラ側を自由に動作させるための仕組みが提案されている。
【特許文献１】特開２００５−２０８３４３号公報
【特許文献２】特開２００６−９４３７６号公報
【発明の開示】
【発明が解決しようとする課題】
【０００４】
本発明は、上述した背景に鑑みてなされたものであり、画像表示装置とホスト装置が通信可能に接続された場合であっても、画像表示装置においてユーザが画像データに対する処理を指示することが可能な環境を提供することを目的とする。
【課題を解決するための手段】
【０００５】
上記目的を達成するために、本発明は、ホスト装置との間に接続された通信路を介して当該ホスト装置と通信を行う画像表示装置であって、画像データと、当該画像データに割り当てられた画像識別情報とを対応付けて記憶する記憶手段と、前記記憶手段に記憶された画像データに基づいて画像を表示する表示手段と、前記ホスト装置からの前記通信路を介した要求に応じて、前記表示手段によって表示されている画像の画像データに割り当てられた前記画像識別情報を、前記記憶手段から読み出し、前記通信路経由で前記ホスト装置に通知する通知手段と、前記画像表示装置に対して処理を指定する操作を受け付ける操作手段と、前記ホスト装置から通知された操作禁止期間にわたっては、前記操作手段が受け付けた操作によって指定される処理を実行せずに、前記ホスト装置から前記通信路を介して指示される処理を実行し、当該処理を実行し終えると、当該処理の完了を前記通信路経由で前記ホスト装置に通知する処理手段とを備えることを特徴とする画像表示装置を提供する。
本発明によれば、画像表示装置とホスト装置が通信可能に接続された場合であっても、操作禁止期間以外の期間においては、画像表示装置においてユーザが画像データに対する処理を指示することが可能となる。なお、前記通信路は、例えばＵＳＢ規格に従って通信を行うための通信路である。
【０００６】
前記所定の画像は、前記表示手段に表示すべき前記画像データを指定するようにユーザに案内するためのメニュー画像であり、前記処理手段は、前記所定の画像として前記メニュー画像を表示する場合には、前記画像データの削除又は更新が行われた後の状態を反映した前記メニュー画像を表示することが望ましい。
このようにすれば、画像データの削除又は更新後において直ちに、ユーザはメニュー画像から表示すべき前記画像データを指定することができる。
【０００７】
また、本発明は、画像データと当該画像データに割り当てられた画像識別情報とを対応付けて記憶しており当該画像データに基づいて画像を表示する画像表示装置との間に接続された通信路を介して、当該画像表示装置と通信を行うホスト装置であって、ホスト装置に対して処理を指定する操作を受け付ける操作手段と、前記画像表示装置に記憶されている画像データのうちいずれかの削除又は更新を指示する操作が前記操作手段によって受け付けられると、前記画像表示装置に表示されている画像の画像データに割り当てられた画像識別情報を要求する要求手段と、前記要求に応じて前記画像表示装置から通知されてきた画像識別情報が、前記削除又は更新の対象となる画像データの画像識別情報であるか否かを判断する判断手段と、ユーザの操作によって指定された処理を禁止する操作禁止期間の開始を前記画像表示装置に通知し、前記画像データを削除又は更新することを前記画像表示装置に指示すると共に、前記画像表示装置に表示されている画像が削除又は更新の対象となる画像であると前記判断手段によって判断された場合には、前記画像表示装置に表示されている画像とは異なる所定の画像を表示することを当該画像表示装置に指示する指示手段と、前記画像表示装置から処理の完了が通知されてくると、前記画像表示装置に対して前記操作禁止期間の終了を通知する通知手段とを備えることを特徴とするホスト装置を提供する。
本発明によれば、画像表示装置とホスト装置が通信可能に接続された場合であっても、操作禁止期間以外の期間においては、画像表示装置においてユーザが画像データに対する処理を指示することが可能となる。なお、前記通信路は、例えばＵＳＢ規格に従って通信を行うための通信路である。
【０００８】
また、前記画像表示装置に記憶されている画像データの一覧を前記画像表示装置から取得する取得手段を備え、前記要求手段は、前記取得手段によって取得された一覧においていずれかの画像データを指定して当該画像データを削除又は更新する操作が前記操作手段によって受け付けられた場合に、前記画像表示装置に表示されている画像の画像データに割り当てられた画像識別情報を要求するようにしてもよい。
これにより、ホスト装置には、前記画像表示装置の前記記憶手段に記憶されている画像データの一覧が提供されるので、ユーザはこの一覧を参照して削除又は更新を指示することが可能となる。
【０００９】
また、本発明は、画像表示装置と、当該画像表示装置との間に接続された通信路を介して通信を行うホスト装置とを備え、前記画像表示装置は、画像データと、当該画像データに割り当てられた画像識別情報とを対応付けて記憶する記憶手段と、前記記憶手段に記憶された画像データに基づいて画像を表示する表示手段と、前記ホスト装置からの前記通信路を介した要求に応じて、前記表示手段によって表示されている画像の画像データに割り当てられた前記画像識別情報を、前記記憶手段から読み出し、前記通信路経由で前記ホスト装置に通知する通知手段と、前記画像表示装置に対して処理を指定する操作を受け付ける第１の操作手段と、前記ホスト装置から通知された操作禁止期間にわたっては、前記第１の操作手段が受け付けた操作によって指定される処理を実行せずに、前記ホスト装置から前記通信路を介して指示される処理を実行し、当該処理を実行し終えると、当該処理の完了を前記通信路経由で前記ホスト装置に通知する処理手段とを備え、前記ホスト装置は、前記ホスト装置に対して処理を指定する操作を受け付ける第２の操作手段と、前記画像表示装置に記憶されている画像データのうちいずれかの削除又は更新を指示する操作が前記第２の操作手段によって受け付けられると、前記画像表示装置に表示されている画像の画像データに割り当てられた画像識別情報を要求する要求手段と、前記要求に応じて前記画像表示装置から通知されてきた画像識別情報が、前記削除又は更新の対象となる画像データの画像識別情報であるか否かを判断する判断手段と、前記操作禁止期間の開始を前記画像表示装置に通知し、前記画像データを削除又は更新することを前記画像表示装置に指示すると共に、前記画像表示装置に表示されている画像が削除又は更新の対象となる画像であると前記判断手段によって判断された場合には、前記画像表示装置に表示されている画像とは異なる所定の画像を表示することを当該画像表示装置に指示する指示手段と、前記画像表示装置から処理の完了が通知されてくると、前記画像表示装置に対して前記操作禁止期間の終了を通知する通知手段とを備えることを特徴とする画像表示システムを提供する。
【００１０】
また、本発明は、画像データを記憶し、当該画像データが表す画像を表示する画像表示装置と、当該画像表示装置との間に接続された通信路を介して通信を行うホスト装置とを備えた画像表示システムにおける制御方法であって、前記画像表示装置に記憶されている画像データのうちいずれかを削除又は更新する操作を受け付けるステップと、前記画像表示装置に表示されている画像を特定し、当該画像が削除又は更新の対象となる画像であるか否かを判断するステップと、前記ホスト装置から前記画像表示装置に対して、ユーザの操作によって指定される処理を禁止する操作禁止期間の開始を通知し、前記画像データの削除又は更新を行うように前記画像表示装置に指示すると共に、前記画像表示装置に表示されている画像が、削除又は更新の対象となる画像であると判断された場合には、前記画像表示装置に表示されている画像とは異なる所定の画像を表示するよう前記ホスト装置から当該画像表示装置に指示するステップと、前記画像表示装置において、前記ホスト装置によって指定された操作禁止期間にわたっては、ユーザの操作によって指定される処理を実行せずに、前記画像データを削除又は更新と前記所定の画像の表示という処理を実行し、当該処理を実行し終えると、当該処理の完了を前記ホスト装置に通知するステップと、前記ホスト装置において、前記画像表示装置から前記処理の完了が通知されてくると、前記画像表示装置に対して前記操作禁止期間の終了を通知するステップとを備えることを特徴とする制御方法を提供する。
【発明を実施するための最良の形態】
【００１１】
次に、本発明を実施するための最良の形態について説明する。
（１）実施形態の構成
図１は、本実施形態に係る画像表示装置１の外観を示した斜視図である。
図示のように、画像表示装置１の筐体板状の直方体をなしている。筐体の上面には、記憶性液晶表示体１５とキー２２が設けられており、側面には、ＵＳＢコネクタ１９が設けられている。記憶性液晶表示体１５は、例えばコレステリック液晶を用いた表示手段であり、電力供給が停止しても同一の画像を表示し続けることができるという記憶性を有している。キー２２は、ユーザによって操作される操作手段であり、図示のような押圧型のキーの他に、ペンデバイスやジョイスティックなどの操作デバイスを含んでいてもよい。ＵＳＢコネクタ１９にはＵＳＢケーブルを介して、パーソナルコンピュータ等のホスト装置が接続される。ユーザは、キー２２を操作することで、記憶性液晶表示体１５に所定のメニュー画面を表示させたり、そのメニュー画面の案内に従って所望の画像を記憶性液晶表示体１５に表示させたりすることができる。
【００１２】
次に、図２は、画像表示装置１及びホスト装置２のハードウェア構成を示した図である。
図示のように、画像表示装置１は、ＣＰＵ（Central Processing Unit）１１と、ＲＯＭ（Read Only Memory）１２と、ＲＡＭ（Random Access Memory）１３と、ＶＲＡＭ（Video Random Access Memory）１４と、記憶性液晶表示体１５と、表示制御装置１６と、電源１７と、電源制御装置１８と、ＵＳＢコネクタ１９と、ＵＳＢコントローラ２０と、Ｉ／Ｏ２１と、キー２２と、不揮発性メモリ２３とを備えている。ＣＰＵ１１は、ＲＯＭ１２に記憶されている制御プログラムを読み出してＲＡＭ１３に展開し、その制御プログラムに記述された手順に従って、後述する図５に示す処理を実行する。ＵＳＢケーブル２４は、２本の信号線、電力供給線及びグランド線が樹脂で被覆されたものである。このＵＳＢケーブル２４がＵＳＢコネクタ１９に装着されることによって、画像表示装置１とホスト装置２とが通信可能に接続される。ホスト装置２には、各種コンテンツを画像として表示するための複数のコンテンツデータが格納されている。本実施形態では、これらコンテンツとして、複数のページによって構成された“文書”を想定している。
【００１３】
ＵＳＢコントローラ２０は、ＣＰＵ１１による制御の下でＵＳＢ規格に従いつつ、ホスト装置２に設けられたＵＳＢコントローラ２０７とデータの送受信を行う。ＵＳＢコントローラ２０が、ホスト装置２から送信されてくるコンテンツデータをＵＳＢケーブル２４経由で受信すると、ＣＰＵ１１は、これを画像データに変換して不揮発性メモリ２３に記憶する。この際、ＣＰＵ１１は、それぞれの画像データに画像ＩＤ（Identification：識別情報）を割り当て、画像データと画像ＩＤとを対応付けた状態で記憶する。この不揮発性メモリ２３は、バックアップ電源が確保されたＳＲＡＭ（Static Random Access Memory）やフラッシュメモリなどの不揮発性の記憶手段である。この不揮発性メモリ２３に記憶された画像データは、ＣＰＵ１１によって読み出され、ビットマップ形式に変換されてＶＲＡＭ１４に書き込まれてから表示制御装置１６に供給される。表示制御装置１６は、記憶性液晶表示体１５を制御して上記画像データが表す画像を表示させる。Ｉ／Ｏ２１は、キー２２の操作状態を監視しており、ユーザによってキー２２が操作されると、その操作に応じた信号をＣＰＵ１１に供給する。ＣＰＵ１１は、その操作によって指定される処理を実行する。電源１７は、例えば充電可能な電池である。電源制御装置１８は、電源１７のオンオフ制御や電力の残量監視など各種の電源管理を行う。
【００１４】
一方、ホスト装置２は、ＣＰＵ２０１と、ＲＯＭ２０２と、ＲＡＭ２０３と、記憶装置２０４と、表示装置２０５と、ＵＳＢコネクタ２０６と、ＵＳＢコントローラ２０７と、操作装置２０８とを備えている。ＣＰＵ２０１は、ＲＯＭ２０２や記憶装置２０４に記憶されている各種のコンピュータプログラムを読み出してＲＡＭ２０３に展開し、そのプログラムに記述された手順に従って、後述する図４に示す処理を実行する。ＵＳＢコントローラ２０７は、ＣＰＵ２０１による制御の下でＵＳＢ規格に従いつつ、画像表示装置１のＵＳＢコントローラ２０とデータの送受信を行う。記憶装置２０４は例えばハードディスクであり、画像表示装置１に提供するコンテンツデータのほか、コンテンツデータの管理を行う管理アプリケーションプログラムや画像表示装置１を制御するドライバアプリケーションプログラムを記憶している。表示装置２０５は、例えば液晶ディスプレイやＣＲＴディスプレイ等の表示手段であり、ＣＰＵ２０１による指示の下で画像を表示する。操作装置２０８は、例えばキーボードやマウス等の操作手段である。ユーザによって操作装置２０８が操作されると、その操作に応じた信号が操作装置２０８からＣＰＵ２０１に供給される。ＣＰＵ２０１は、その操作によって指定される処理を実行する。
【００１５】
ここで、図３は、画像表示装置１による表示内容の一例を示した図である。
画像表示装置１の動作モードには、“コンテンツ表示モード”と、“メニュー表示モード”がある。コンテンツ表示モードは、不揮発性メモリ２３に記憶された画像データの中からユーザが指定したものを表示する動作モードである。メニュー表示モードは、表示すべき画像を指定するようユーザに案内するためのメニュー画面を表示する動作モードである。図３に示した画面３１，３２は、コンテンツ表示モードにおける表示画面の一例であり、画面３０，３３は、メニュー表示モードにおける表示画面の一例である。メニュー表示モードである画面３０において、例えば「議事録」というメニュー項目（ファイル名）がユーザによって選択されると、ＣＰＵ１１はメニュー表示モードからコンテンツ表示モードに切り替えて、画面３１のように、選択されたファイル名「議事録」のコンテンツの１ページ目を記憶性液晶表示体１５に表示させる。
以上が本実施形態の構成である。
【００１６】
（２）実施形態の動作
図４は、ホスト装置２のＣＰＵ２０１が行う処理の過程を示したフローチャートである。図５は、画像表示装置１のＣＰＵ１１が行う処理の過程を示したフローチャートである。そして、図６は、画像表示装置１とホスト装置２からなるシステム全体の動作の一例を示したシーケンスチャートである。これらの図面を参照しながら、本実施形態の動作説明を行う。画像表示装置１とホスト装置２がＵＳＢケーブル２４によって物理的に接続されると、これらの装置間でＵＳＢ規格に従って「V-bus」などの所定の信号などが遣り取りされて、両装置が互いに通信可能に接続される。そして、ホスト装置２においては図４に示す処理が開始される。
【００１７】
まず、ホスト装置２のＣＰＵ２０１は、画像表示装置１に対して、その画像表示装置１によって記憶されている画像データの一覧を要求する（ステップＳ１）。この要求は、画像表示装置１とホスト装置２とが通信可能に接続されたことを契機にしてなされてもよいし、ユーザによる所定の操作に応じてなされてもよい。また、画像の一覧は、例えば画像データのファイル名やデータサイズ、データ生成日時などの属性情報をリスト形式で纏めた一覧表でもあってもよいし、各々の画像データが表す画像を縮小したサムネイル画像を表示するための複数のサムネイル画像データ群であってもよい。いずれにしろ、この一覧には、各画像の画像ＩＤが含まれており、ホスト装置２において画像ＩＤを指定して或る処理が指示されると、ホスト装置２はその画像ＩＤを画像表示装置１に通知し、指定された処理を行うよう指示する。本実施形態では、画像の一覧として複数のサムネイル画像データを用いる例で説明する。
【００１８】
さて、上記要求に応答して、画像表示装置１からＵＳＢケーブル２４経由で複数のサムネイル画像データが送信されてくると（ステップＳ２；Ｙｅｓ）、ＣＰＵ２０１は、これらのサムネイル画像データに基づいて複数のサムネイル画像を表示装置２０５に表示する（ステップＳ３）。ＣＰＵ２０１は、サムネイル画像が表示された状態で、ユーザによる操作を受け付けると（ステップＳ４；Ｙｅｓ）、その操作が、いずれかのサムネイル画像を指定して画像を削除するように指示するものであるか或いは指示するものでないかを判断する（ステップＳ５）。ここで、画像データの削除を指示するものでない操作とは、例えば、新たな画像データをホスト装置２から画像表示装置１へと転送する操作であるとか、ホスト装置２自身や画像表示装置１の各種の動作条件を調整するための操作であるとか、或いは、全ての処理を終了させる操作などである。このような操作がなされた場合には（ステップＳ５；Ｎｏ）、ＣＰＵ２０１は、その操作によって指示された処理を自ら実行するか、或いは、画像表示装置１に対して指示された処理を行うように通知すればよい（ステップＳ６）。
【００１９】
一方、ステップＳ４において受け付けられた操作が画像データの削除を指示するものであった場合には（ステップＳ５；Ｙｅｓ）、ＣＰＵ２０１は、削除対象となる画像データの画像ＩＤを特定した後、画像表示装置１に対して、その装置が表示している画像の画像ＩＤを要求する（ステップＳ７）。この要求に応じて、画像表示装置１から送信されてくる画像ＩＤを受信すると（ステップＳ８；Ｙｅｓ）、ＣＰＵ２０１は、受信した画像ＩＤが、ステップＳ４において削除するように指示された画像の画像ＩＤか否かを判断する（ステップＳ９）。この判断の結果、受信した画像ＩＤが、削除対象となる画像の画像ＩＤである場合には（ステップＳ９；Ｙｅｓ）、ＣＰＵ２０１は、画像表示装置１に対して、操作禁止期間の開始を通知して上述したメニュー画面を表示するように指示するとともに、削除対象となる画像の画像ＩＤを通知してその画像ＩＤの画像データを削除するよう指示する（ステップＳ１０）。
【００２０】
つまり、ＣＰＵ２０１は、（ａ）操作禁止期間の開始を通知、（ｂ）メニュー画面の表示を指示、（ｃ）削除対象となる画像の画像ＩＤを通知してその削除を指示、といった処理を行うのである。ここで、「操作禁止期間」とは、画像表示装置１において受け付けられた操作に応じた処理を禁止する期間であり、ホスト装置２によって画像表示装置１に対して指定されるものである。画像表示装置１のＣＰＵ１１は、操作禁止期間の開始が通知されると、それ以降は、ホスト装置２から操作禁止期間の終了が通知されてくるまでは、キー２２を用いた操作によって指示される処理を実行しないようにする。
【００２１】
ここで、ＣＰＵ２０１が上記のような（ａ）、（ｂ）、（ｃ）のような通知乃至指示を行う理由を説明する。
前述した図３の画面３１、つまりコンテンツ表示モードにおいてファイル名「議事録」のコンテンツの１ページ目が表示されているケースで考える。このとき、削除対象となる画像がこのファイル名「議事録」のコンテンツであると仮定すると、画像表示装置１は、記憶性液晶表示体１５に表示されている画像データを不揮発性メモリ２３から削除することになる。ただし、記憶性液晶表示体１５は前述したような記憶性を有しているので、画像データの削除後であっても、コンテンツをそのまま表示し続けることができる。しかし、このように表示している画像が削除対象の画像である場合には、その表示画像を別の画像に切り替える必要がある。なぜなら、画像データが削除されているにも関わらず、その削除されたはずの画像が表示されていると、ユーザの誤解を招きかねないからである。例えば、画面３１に議事録の１ページ目が表示されているのだから、画像表示装置１には議事録の画像データが全て記憶されている、とユーザが勘違いをしてしまうようなケースが考えられる。さらに、ユーザがそのような勘違いをしたまま、例えば画像表示装置１を持って会議に出席し、その会議で過去の議事録を閲覧しようとしても、２ページ目以降については閲覧することができないという事態も予想される。このような事態はユーザにとって甚だ不都合である。
【００２２】
上記のような理由から、ホスト装置２は画像表示装置１に対して、メニュー画面を表示するように指示するのである。さらに、画像表示装置１に記憶されている画像データを削除する場合には、その削除処理の途中においてユーザに自由な操作を許可してしまうと、画像表示装置１における削除処理が中断されるとか、両装置の間で画像データが不一致となるなどの不都合が生じる可能性がある。このため、ホスト装置２は画像表示装置１に対して、操作禁止期間の開始を通知するのである。
【００２３】
再び図４の動作説明に戻る。
ＣＰＵ２０１は、画像表示装置１から処理が終了したことを意味する処理終了通知を受信すると（図４のステップＳ１１；Ｙｅｓ）、画像表示装置１に対して上述した操作禁止期間の終了を通知する（ステップＳ１２）。そして、ＣＰＵ２０１の処理は再びステップＳ４に戻る。
【００２４】
なお、ステップＳ９において、受信した画像ＩＤが、削除対象となる画像の画像ＩＤでない場合には（ステップＳ９；Ｎｏ）、ＣＰＵ２０１は、画像表示装置１に対して、操作禁止期間の開始を通知するとともに、削除対象となる画像データの画像ＩＤを通知し、その画像データを削除するよう指示する（ステップＳ１３）。しかし、ここでは、ＣＰＵ２０１はメニュー画面を表示するよう指示することはない。削除対象の画像と、表示されている画像とが異なる場合には、前述したような不都合は生じないからである。そして、ＣＰＵ２０１は、画像表示装置１から処理が終了したことを意味する処理終了通知を受信すると（ステップＳ１１；Ｙｅｓ）、画像表示装置１に対して上述した操作禁止期間の終了を通知する（ステップＳ１２）。そして、ＣＰＵ２０１の処理は再びステップＳ４に戻る。
以上がホスト装置２の動作である。
【００２５】
次に、図５を参照して画像表示装置１の動作を説明する。
前述したように、画像表示装置１とホスト装置２がＵＳＢケーブル２４によって通信可能に接続されると、画像表示装置１においては図５に示す処理が開始される。まず、画像表示装置１のＣＰＵ１１は、ホスト装置２からＵＳＢケーブル２４経由でデータを受信したか否かを判断する（ステップＳ２１）。データを受信したと判断すると（ステップＳ２１；Ｙｅｓ）、ＣＰＵ１１はそのデータの内容を判断する（ステップＳ２２）。この判断の結果、受信したデータが画像の一覧の要求であれば（ステップＳ２２；一覧要求）、ＣＰＵ１１は、不揮発性メモリ２３に記憶された画像データから生成したサムネイル画像データをホスト装置２に送信する（ステップＳ２３）。また、画像表示装置１に表示している画像の画像ＩＤの要求であれば（ステップＳ２２；画像ＩＤの要求）、ＣＰＵ１１は、記憶性液晶表示体１５に表示している画像の画像ＩＤを不揮発性メモリ２３から読み出してホスト装置２に送信する（ステップＳ２４）。
【００２６】
また、受信したデータに、画像の削除の指示及び操作禁止期間の開始の通知が含まれていれば（ステップＳ２２；画像の削除）、ＣＰＵ１１は、さらにこのデータにメニュー画面の表示の指示が含まれているか否かを判断する（ステップＳ２５）。メニュー画面の表示の指示が含まれていれば（ステップＳ２５；Ｙｅｓ）、ＣＰＵ１１は、まず、キー２２の操作を禁止する（ステップＳ２６）。つまり、ＣＰＵ１１は、キー２２によって受け付けられた操作によって指示される処理を実行しないようにする。次に、ＣＰＵ１１は、ホスト装置２から通知された画像ＩＤが割り当てられた画像データを不揮発性メモリ２３から削除する（ステップＳ２７）。さらに、ＣＰＵ１１は、削除後の不揮発性メモリ２３に記憶されている画像データのファイル名に基づいて、メニュー画面を表示するためのデータを生成し、メニュー画面を記憶性液晶表示体１５に表示させる（ステップＳ２８）。ＣＰＵ１１がこのような処理を行うことにより、記憶性液晶表示体１５に表示されている画像は、図３の画面３１のようなコンテンツ画像から、図３の画面３３のようなメニュー画面に遷移する。このとき表示されるメニュー画面には、削除された画像データのファイル名（ここでは「議事録」とする）は含まれないことになる。つまり、このメニュー画面には画像データの削除後の状態が反映されているわけである。
【００２７】
一方、受信したデータにメニュー画面の表示の指示が含まれていなければ（ステップＳ２５；Ｎｏ）、ＣＰＵ１１は、キー２２の操作を禁止して（ステップＳ２９）、ホスト装置２から通知された画像ＩＤが割り当てられた画像データを不揮発性メモリ２３から削除する（ステップＳ３０）。この場合、ＣＰＵ１１はメニュー画面を表示する必要はないので、その時点で表示している画像をそのまま表示し続けることになる。つまり、図３の画面３１は、そのままの状態を維持する。つまり画面３１と同じ画面３２が表示される。
【００２８】
ＣＰＵ１１は、上述した処理を実行し終えると、処理が終了したことを意味する処理終了通知をホスト装置２に送信する（ステップＳ３１）。そして、ＣＰＵ１１の処理はステップＳ２１に戻る。そして次のステップＳ２２において、受信したデータが操作禁止期間の終了であると判断された場合には（ステップＳ２２；期間終了通知）、ＣＰＵ１１は、操作禁止を解除する（ステップＳ３２）。つまり、キー２２が受け付けた操作によって指示される処理を実行し得る状態に遷移する。なお、受信したデータが上記の要求や通知以外の場合には、ＣＰＵ１１は、それに対応した処理を実行する（ステップＳ３３）。
以上が画像表示装置１の動作である。
【００２９】
次に、図６を用いてシステム全体の動作例を述べる。
画像表示装置１においては、コンテンツ表示モードで、図３の画面３１のような「議事録」の画像が表示されているとする。このときは、ユーザは画像表示装置１のキー２２を操作して、画像表示装置１に対して自由に指示を与えることができる。この状態で画像表示装置１とホスト装置２がＵＳＢケーブル２４によって接続（物理的接続）されると（ステップＳ１０１）、これらの装置間でＵＳＢ規格に従ってV-bus信号などが遣り取りされて、両装置が互いに通信可能に接続される（ステップＳ１０２）。まず、ホスト装置２は、画像表示装置１に対して、サムネイル画像データを要求する（ステップＳ１０３）。画像表示装置１は、この要求に応じて、複数のサムネイル画像データを各画像の画像ＩＤと共にホスト装置２に送信する（ステップＳ１０４）。ホスト装置２は、これらのサムネイル画像データに基づいてサムネイル画像の一覧を表示装置２０５に表示する。ここで、ユーザが、操作装置２０８を用いて、ファイル名「議事録」のサムネイル画像を指定して、画像データを削除するように指示したとする。ホスト装置２は、この操作に応じて、画像表示装置１に対して、表示している画像の画像ＩＤを要求する（ステップＳ１０５）。この要求に応じて、画像表示装置１は、記憶性液晶表示体１５に表示している画像の画像ＩＤをホスト装置２に送信する（ステップＳ１０６）。ここでは、ファイル名「議事録」の画像データの画像ＩＤである。
【００３０】
ホスト装置２は、上記画像ＩＤを受信すると、それが削除対象の画像の画像ＩＤか否かを判断する。この動作例では両者は一致するから、ホスト装置２は、画像表示装置１に対して、操作禁止期間の開始を通知し、メニュー画面の表示を指示し、削除対象となる画像の画像ＩＤを通知して削除を指示する（ステップＳ１０７）。画像表示装置１は、キー２２の操作を禁止し、ホスト装置２から通知された画像ＩＤが割り当てられた画像データを不揮発性メモリ２３から削除する。さらに、画像表示装置１は、削除後の不揮発性メモリ２３に記憶されている画像データのファイル名に基づくメニュー画面を記憶性液晶表示体１５に表示する。これにより、記憶性液晶表示体１５に表示されている画像は、図３の画面３１のようなコンテンツ画像から、図３の画面３３のようなメニュー画面に遷移する。
【００３１】
画像表示装置１は、上述した処理を実行し終えると、処理が終了したことを意味する処理終了通知をホスト装置２に送信する（ステップＳ１０８）。ホスト装置２は、この処理終了通知を受信すると、画像表示装置１に対して操作禁止期間の終了を通知する（ステップＳ１０９）。画像表示装置１は、操作禁止期間の終了が通知されると、操作禁止の解除し、操作を受け付ける状態に遷移する。以降、ユーザは画像表示装置１のキー２２を用いて、その画像表示装置１に対して自由に指示を与えることができる。
【００３２】
以上説明した実施形態によれば、画像表示装置１とホスト装置２が通信可能に接続された場合であっても、ホスト装置から指定された操作禁止期間以外の期間にわたっては、画像表示装置においてユーザが画像データに対する処理を指示することが可能となる。
また、ホスト装置２は、画像表示装置１によって表示されている画像を特定して、その画像と削除対象の画像とが一致するか否かを判断する。この判断の結果、両者が一致する場合には、画像表示装置１にメニュー画面を表示させる。これにより、画像表示装置１とホスト装置２との間で画像データが不一致となるなどの不都合が解消される。さらに、この場合、画像データの削除後にメニュー画面を表示しているので、画像データの削除後において直ちに、ユーザはメニュー画像から表示すべき前記画像データを指定することも可能となる。
【００３３】
（３）変形例
上述した実施形態を次のように変形してもよい。
上記実施形態では、画像表示装置１によって表示されている画像と削除対象の画像とが一致する場合において、画像表示装置１に表示させる画像はメニュー画面であったが、これに限らない。要は、画像表示装置１によって表示されている画像とは異なる所定の画像を表示させるようにすればよい。例えば、予め決められた特定の画像であってもよいし、削除される画像の画像ＩＤとは異なる画像ＩＤを有する画像を表示させるようにしてもよい。
【００３４】
実施形態では、画像表示装置１に表示されている画像が削除される場合に限って操作禁止期間を設けていたが、画像データの内容が更新される場合にそうしてもよい。画像データが更新される場合であっても、表示している画像と、それが更新された後の画像とは異なる内容となってしまい、ユーザの誤解を招くという問題が生じるからである。つまり、画像データが削除又は更新される場合に本発明を適用し得ることになる。
【００３５】
上記実施形態では、画像表示装置１とホスト装置２との間を、ＵＳＢ規格に従って通信を行うための通信路（ＵＳＢケーブル）で接続していたが、通信路の方式はこれに限らない。要するに、一方の装置と他方の装置とが接続され、一方の装置の動作が他方の装置によって制御されて一方の装置における操作が禁止されるような形態に用いられる通信路であれば、本発明を適用可能である。
ただし、ＵＳＢを用いた場合には以下のような利点がある。
ＵＳＢケーブルは電力供給線を有しているから、ホスト装置２からＵＳＢケーブル経由で画像表示装置１に電力が供給される。従って、ホスト装置２と画像表示装置１とをＵＳＢで接続している限り、ユーザは電池切れを気にすることなく画像表示装置１を利用できることになる。しかし、従来は、ホスト装置２と画像表示装置１をＵＳＢケーブルで接続した状態では、画像表示装置１における操作が一切禁止されるから、上記のような、電池切れを気にせずに画像表示装置１を利用できるというメリットを享受することができなかった。一方、ＵＳＢケーブルを用いた上記実施形態によれば、このメリットを享受することが可能となるのである。
【００３６】
画像データは不揮発性メモリ２３に記憶されたものに限らず、画像表示装置１に着脱自在な可搬性の記憶媒体に記憶されたものであってもよい。また、本発明の画像表示装置は画像を表示する装置であればよく、電子ペーパーなどと呼ばれるような、可搬性に富む表示体のほか、例えばＰＤＡのような可搬型のコンピュータに適用することもできる。また、本発明のホスト装置は、上記画像表示装置との間に接続された通信路を介して通信を行う装置であればよく、デスクトップコンピュータやモバイルコンピュータなどであってもよい。また、上述したＣＰＵ１１が実行する制御プログラムや、ＣＰＵ２０１が実行するアプリケーションプログラムは、磁気テープ、磁気ディスク、フロッピー（登録商標）ディスク、光記録媒体、光磁気記録媒体、ＣＤ（Compact Disk）、ＤＶＤ（Digital Versatile Disk）、ＲＡＭなどの記録媒体に記録した状態で提供し得る。
【図面の簡単な説明】
【００３７】
【図１】本発明の実施形態に係る画像表示装置の外観を示した斜視図である。
【図２】画像表示装置とホスト装置からシステムの構成を示すブロック図である。
【図３】画像表示装置に表示される画像の例を示す図である。
【図４】ホスト装置が実行する手順を示すフローチャートである。
【図５】画像表示装置が実行する手順を示すフローチャートである。
【図６】上記システムにおける動作例を示すシーケンスチャートである。
【符号の説明】
【００３８】
１…画像表示装置、１１…ＣＰＵ、１２…ＲＯＭ、１３…ＲＡＭ、１４…ＶＲＡＭ、１５…記憶性液晶表示体、１６…表示制御装置、１７…電源、１８…電源制御装置、１９…ＵＳＢコネクタ、２０…ＵＳＢコントローラ、２１…Ｉ／Ｏ、２２…キー、２３…不揮発性メモリ、２４…ＵＳＢケーブル、２…ホスト装置、２０１…ＣＰＵ、２０２…ＲＯＭ、２０３…ＲＡＭ、２０４…記憶装置、２０５…表示装置、２０６…ＵＳＢコネクタ、２０７…ＵＳＢコントローラ、２０８…操作装置。
【図１】
2008026490.tif 000003
【図２】
2008026490.tif 000004
【図３】
2008026490.tif 000005
【図４】
2008026490.tif 000006
【図５】
2008026490.tif 000007
【図６】
2008026490.tif 000008